(57)【要約】      （修正有）【課題】光沢や色に工夫を講じることによって、書かれた文字や線などを見たり文字や線などを書いたりするときに使用者が受けるストレスや目の疲れ、表記事項の見えにくさなどを軽減する筆記用紙を提供する。【解決手段】７５度鏡面光沢度試験による鏡面光沢度が、同試験による鏡面光沢度４．８％の白色紙よりも低い用紙を用いる。緑色の染料を使用して用紙を淡緑色に着色する。鏡面光沢度が３．８〜４．３％の用紙である。罫線１１を施すときには罫線１１をグレー色にする。【選択図】図１
0003224792.tif 000002
【実用新案登録請求の範囲】
【請求項１】
ノート、付箋、メモ帳、便せん、ルーズリーフなどに用いられ、筆記具を用いて書き込みが可能な筆記用紙であって、
７５度鏡面光沢度試験による鏡面光沢度が、同試験による鏡面光沢度４．８％の白色紙よりも低い用紙を用いることにより眩しさを低減したことを特徴とする筆記用紙。
【請求項２】
染料を使用して用紙を着色することにより上記鏡面光沢度を調整してなる請求項１に記載した筆記用紙。
【請求項３】
緑色の上記染料を使用して用紙を淡緑色に着色してなる請求項２に記載した筆記用紙。
【請求項４】
上記鏡面光沢度が３．８〜４．３％である請求項１ないし請求項３のいずれか１項に記載した筆記用紙。
【請求項５】
上記用紙にグレー色の罫線が施されている請求項１ないし請求項４のいずれか１項に記載した筆記用紙。
【請求項６】
多数枚の上記用紙が綴じ合わされてなる請求項１ないし請求項５のいずれか１項に記載した筆記用紙。
【考案の詳細な説明】
【技術分野】
【０００１】
本考案は、用紙の光沢や色に工夫を講じることによって、用紙に書かれた文字や線、図柄といった記載事項を見たり、用紙に文字や線、図柄などを書いたりするときに使用者が受けるストレスや目の疲れなどを軽減することのできる筆記用紙に関する。
【背景技術】
【０００２】
性別年齢を問わず、人には、白色紙の白色が眩しく感じて目が痛くなったり、白色紙に書かれた文字や線、図柄といった表記事項が見えにくかったりしてストレスを感じたり目が疲れたりすることがある。また、白色紙に書かれた表記事項のコントラストが強い場合にも同様の状況が起こることがある。このような現象は、視覚過敏の使用者にとって顕著に現れる傾向があるといえるけれども、視覚過敏ではない使用者にとっても、体調が悪かったり精神的に不安があったりするときなどには現れることがあると云われている。そこで、白色紙が眩しくて表記事項を読んだり書いたりしにくいようなときに、使用者によっては、サングラスやパソコン用めがねを掛けたり、色のついた透明な下敷きを用紙に重ねたり、定規などで文字などの表記事項を隠して少しずつ見るようにしたりする、といった様々な工夫を講じることがある。
【０００３】
先行例では、白い部分が明るく見えすぎて黒い部分が見えにくくなるような視覚過敏の使用者にとって、学習及び日常生活に起こり得る障害を軽減するための対策が講じられた記入用紙が提案されている（特許文献１）。この特許文献１によって提案されている記入用紙は、用紙に施された多数の四角枠の中に、白色及び黒色以外の色の蛍光色の２本の対角線を施してなる。そして、この記入用紙によれば、視覚過敏であっても、文字や数字などの記号を書く位置が認識しやすくなる、とされている。
【先行技術文献】
【特許文献】
【０００４】
【特許文献１】実用新案登録第３２２１７２３号公報
【考案の概要】
【考案が解決しようとする課題】
【０００５】
しかしながら、特許文献１によって提案されている記入用紙は、文字や数字を書く位置を認識しやすくなるだけに過ぎず、上記したような現象、すなわち、白色紙の白色が眩しく感じてストレスを感じたり目が痛くなったり、白色紙に書かれた文字や線、図柄などが見えにくかったりする、という現象を軽減ないし回避できるようなものではない。
【０００６】
本考案は、以上の状況に鑑みてなされたものであり、用紙の光沢や色に着目し、用紙の光沢や色に工夫を講じることによって、用紙に書かれた文字や線、図柄といった表記事項を見たり用紙に表記事項を書いたりするときに使用者が受けるストレスや目の疲れ、表記事項の見えにくさなどを軽減することのできる筆記用紙を提供することを目的としている。
【課題を解決するための手段】
【０００７】
本考案に係る筆記用紙は、ノート、付箋、メモ帳、便せん、ルーズリーフなどに用いられ、筆記具を用いて書き込みが可能な筆記用紙であって、７５度鏡面光沢度試験による鏡面光沢度が、同試験による鏡面光沢度４．８％の白色紙よりも低い用紙を用いることにより眩しさを低減した、というものである。ここで、筆記用紙には、上掲のノート、付箋、メモ帳、便せん、ルーズリーフのほか、コピー用紙やその他の様々な用途に用いられている用紙が含まれる。また、７５度鏡面光沢度試験は、ＪＩＳ８１４２「紙及び板紙−７５度鏡面光沢度の測定方法」で規定されていて、この規格によると、「光沢」は「表面の選択的な方向特性によって、物体の明るい反射がその表面に写り込んでいるように見える見え方」と定義され、「鏡面光沢度」は「鏡面反射方向の規定の開き角度内に試験片表面から反射される光束と、同じ条件での鏡面反射標準面からの反射光束の比をパーセントで表したもの」と定義されている。
【０００８】
この考案において、鏡面光沢度４．８％の白色紙とは、ノート用紙などに広く汎用されている用紙のことであって、この種の用紙の白色が眩しく感じてストレスを感じたり、目が疲れたり、目が痛くなったり、この種のノート用紙に書かれた文字や線、図柄などの表記事項が見えにくかったりする使用者にとって、本考案による筆記用紙を使用すると、用紙による光の反射度合いが、鏡面光沢度４．８％の白色紙のそれよりも低下して眩しさが軽減されてストレスも軽減され、目の疲れや痛さ、見えにくさも軽減され、視覚過敏の使用者にとっては勿論、視覚過敏でない使用者にとっても目に優しくなり、ストレスや目の疲れなどが軽減ないし回避されやすくなる。
【０００９】
本考案に係る筆記用紙では、染料を使用して用紙を着色することにより上記鏡面光沢度を調整してなる、という構成を採用することができる。これによると、鏡面光沢度を調整することに使用した染料が用紙を着色することにも役立つので、使用者にとっては、鏡面光沢度の低下に伴うストレスや目の疲れなどの軽減効果が得られるだけでなく、用紙の色による気持ちの休まりやリラックス感を得られる効果が得られる。
【００１０】
本考案に係る筆記用紙では、緑色の上記染料を使用して用紙を淡緑色に着色してなることが望ましい。淡緑色は「若草色」や「グリーン」とも通称される色である。緑色には人の自律神経の１つである副交感神経に働きかける性質があり、この性質によって、使用者にとっては、気持ちの休まりやリラックス感を得られる効果が得られる。また、緑色、特に淡緑色が発揮する目の疲れを癒す性質により、使用者にとっては、用紙が眩しく感じて目が痛くなったり、用紙に書かれた文字や線、図柄などが見えにくかったりする、という現象が軽減ないし回避されるという作用も発揮される。
【００１１】
本考案では、緑色の上記染料を使用して用紙を淡緑色に着色してなる用紙の上記鏡面光沢度が３．８〜４．３％であることが望ましい。ここで規定した鏡面光沢度３．８〜４．３％の範囲は、後述する実施形態で説明する上質紙の鏡面光沢度を基準にしつつ、使用者の視覚過敏の個人差をも勘案して定めた範囲である。
【００１２】
本考案に係る筆記用紙では、上記用紙にグレー色の罫線が施されている、という構成を採用することができる。本考案に係る筆記用紙では必ずしも罫線を施しておく必要はないけれども、当該筆記用紙が学習帳やメモ帳の用紙などに使用されるときには、罫線を施しておくと文字や線などを書きやすくなる。この点に関し、罫線を濃色（たとえば濃い黒色）で施すと、用紙の色との相関関係で罫線のコントラストが強くなりすぎるために、用紙による光の反射度合いが相対的に増大して眩しさを感じやすくなる。そこで、この考案のように、罫線をグレー色、特に薄いグレー色にしておくと、目による罫線の視認性（認識性）を失うことなく、コントラストもそれほど強くならないので、視覚過敏の使用者にとっては勿論、視覚過敏でない使用者にとっても目に優しくなり、ストレスや目の疲れなどが軽減ないし回避されやすくなる。
【００１３】
本考案では、多数枚の上記用紙が綴じ合わされてなる、という構成を採用することができ、これによれば、当該筆記用紙を使用して、何枚にも亘る用紙を備えたノート、付箋、メモ帳、便せんを容易に製作することができる。
【考案の効果】
【００１４】
以上説明したように、本考案に係る筆記用紙は、鏡面光沢度４．８％の白色紙に比べて眩しさや見やすさが軽減され、視覚過敏の使用者にとっては勿論、視覚過敏でない使用者にとっても目に優しくなり、ストレスや目の疲れなどが軽減ないし回避されやすいという効果が得られる。特に、用紙の鏡面光沢度が３．８〜４．３％で、用紙の色が染料の色に基づく淡緑色であると、使用者にとっては、目の癒し効果やストレス軽減効果のほか、気持ちの休まりやリラックス感を得られる効果があるほか、用紙が眩しく感じて目が痛くなったり、用紙に書かれた文字や線、図柄などが見えにくかったりする、という現象が軽減ないし回避される。さらに、用紙にグレー色の罫線が施されていると、目による罫線の視認性を失うことなく、コントラストもそれほど強くならないので、視覚過敏の使用者にとっては勿論、視覚過敏でない使用者にとっても目に優しくなり、ストレスや目の疲れなどが軽減ないし回避されやすくなる。
【図面の簡単な説明】
【００１５】
【図１】本考案の実施形態に係る筆記用紙を用いたノートの説明図である。
【図２】同筆記用紙を用いた付箋の説明図である。
【図３】同付箋の変形例についての説明図である。
【図４】２種類の用紙の鏡面光沢度の実測試験結を示した図表である。
【考案を実施するための形態】
【００１６】
図１は本考案の実施形態に係る筆記用紙１０（以下「用紙１０」という）を用いたノートＡの説明図、図２は同用紙を用いた付箋Ｂの説明図、図３は同付箋Ｂの変形例についての説明図であり、図４は２種類の用紙の鏡面光沢度の実測試験結果を示した図表である。
【００１７】
図１に例示したノートＡは、学習帳や日記帳としてなどとして様々な用途に用いられ、一般的なノートの構成要素である多数枚の用紙１０…をファスナー２０で綴じ合わせてなる。多数枚の用紙１０…の綴じ合わせ方には、図例のほかに多数枚の用紙の１端面同士を重ね合わせて接着剤で貼り付けるような無線綴じ、用紙の中央部分を綴じ合わせる中綴じ、用紙の端部同士を糸で綴じ合わせる糸綴じといった公知の手段を自由に選択することができる。このノートにおいて、用紙１０の表面の鏡面光沢度や光の反射度合いは、ノート用紙などに広く汎用されている白色の用紙（汎用白色紙）よりも劣っている。このため、目で見たときの眩しさは汎用白色紙に比べて軽減されている。用紙１０には筆記具を用いて書き込みが可能である。
【００１８】
この実施形態においては、７５度鏡面光沢度試験による鏡面光沢度が、同試験による鏡面光沢度４．８％の白色紙よりも低い用紙１０を用いることによって、見たときの眩しさを低減させている。上記したように、７５度鏡面光沢度試験は、ＪＩＳ８１４２「紙及び板紙−７５度鏡面光沢度の測定方法」で規定され、この規格では「光沢」や「鏡面光沢度」についても定義されている。同試験による鏡面光沢度４．８％の白色紙とは、上記した汎用白色紙に相当している。したがって、一般的なノート用紙としての汎用白色紙の白色が眩しく感じて目が痛くなったり目が疲れたり、汎用白色紙に書かれた文字や線、図柄などの表記事項が見えにくかったりする使用者にとっては、上記用紙１０による光の反射度合いが、鏡面光沢度４．８％の汎用白色紙のそれよりも低下して眩しさが軽減され、視覚過敏の使用者にとっては勿論、視覚過敏でない使用者にとっても目に優しくなり、ストレスや目の疲れなどが軽減ないし回避されやすくなる、ということが云える。
【００１９】
実施形態に係る用紙１０は、染料を使用して用紙を着色することにより鏡面光沢度を調整している。着色することにより鏡面光沢度を調整した用紙１０は、着色の色を適切に選択することにより、使用者にとって、鏡面光沢度の低下に伴うストレスや目の疲れなどの軽減効果が得られるだけでなく、用紙の色による気持ちの休まりやリラックス感を得られる。特に、この実施形態では、緑色の染料を使用して用紙１０を淡緑色に着色してある。淡緑色は「若草色」や「グリーンないし薄いグリーン」とも通称される色である。緑色には人の自律神経の１つである副交感神経に働きかける性質があり、この性質によって、使用者にとっては、気持ちの休まりやリラックス感を得られる効果が得られる。また、緑色、特に淡緑色が発揮する目の疲れを癒す性質により、使用者にとっては、用紙が眩しく感じて目が痛くなったり、用紙に書かれた文字や線、図柄などが見えにくかったりする、という現象が軽減ないし回避される。
【００２０】
さらに、実施形態に係る用紙１０では、図示のようにグレー色の罫線１１が施されている。罫線１１が施された用紙１０が学習帳などに使用されていると、文字や線などを罫線１１に沿って揃えて書きやすくなる。ここで、罫線１１を濃い黒色などの濃色で施すと、用紙１０の色との相関関係で罫線１１のコントラストが強くなりすぎるために、用紙１０による光の反射度合いが相対的に増大して眩しさを感じやすくなる。そこで、上記のように罫線１１をグレー色、特に薄いグレー色にしてあると、目による罫線１１の視認性が失われることなく、コントラストもそれほど強くならないので、視覚過敏の使用者にとっては勿論、視覚過敏でない使用者にとっても目に優しくなり、ストレスや目の疲れなどが軽減ないし回避されやすくなる。
【００２１】
図４には２種類の用紙の鏡面光沢度の実測試験結果を示している。同試験結果は、上記したＪＩＳ８１４２「紙及び板紙−７５度鏡面光沢度の測定方法」で規定されている方法に従った７５度鏡面光沢度試験に基づくものであり、試料には「白いノート用紙」と上記の実施形態による「グリーンの色上質紙（若草）」を選択した。試料は、２０×７０ｍｍの大きさに裁断された紙片であり、１５回の繰り返し試験を行った。
【００２２】
この試験結果によると、「白いノート用紙」の鏡面光沢度が４．８を示し、実施形態による「グリーンの色上質紙」の鏡面光沢度が４．１を示している。このことから、実施形態による「グリーンの色上質紙」の鏡面光沢度が「白いノート用紙」の鏡面光沢度よりも低くなっている。この点を踏まえた上で、視覚過敏の使用者（高校生）を対象として、人間の視覚による官能試験を行った。その結果、「白いノート用紙」では、用紙の白色が眩しく感じて目が痛くなったり、用紙に書かれた文字や線、図柄といった表記事項が見えにくかったりしてストレスを感じたり目が疲れたりするという結果が得られたのに対して、「グリーンの色上質紙」では、「白いノート用紙」に比べて、用紙の色がそれほど眩しく感じず、目が痛くなったり疲れたりすることもなく、用紙に書かれた文字や線、図柄といった表記事項が見えにくいということも軽減され、それほど大きなストレスを感じることもなかった、という結果が得られた。なお、「グリーンの色上質紙」では、「白いノート用紙」に比べて光の反射を約１４％軽減することができた。
【００２３】
上記試験結果は、「白いノート用紙」と「グリーンの色上質紙」とを比較したものであるけれども、鏡面光沢度が４．８の「白いノート用紙」とこれよりも鏡面光沢度の低い「白いノート用紙」を比較した場合でも、鏡面光沢度の低い「白いノート用紙」であれば、眩しさが低減されることは客観的に把握できる事項である。したがって、本考案に係る用紙（筆記用紙）には、７５度鏡面光沢度試験による鏡面光沢度が、同試験による鏡面光沢度４．８％の白色紙よりも低い用紙が含まれる。
【００２４】
図４の実測試験結果においては、「グリーンの色上質紙」の７５度鏡面光沢度が４．１を示しているけれども、使用者の視覚過敏の度合いには個人差がある。このことを勘案すると、緑色の染料を使用して用紙を淡緑色に着色してなる実施形態用紙（グリーンの色上質紙）１０については、眩しさなどの使用感を改善できる鏡面光沢度に一定の幅を持たせておくことが望ましい。そこで、本考案では、好ましい面光沢度を３．８〜４．３とした。光沢度が３．８より低い場合にも眩しく感じず、目が痛くなったり疲れたりすることもないが、暗い中で使用する場合に書いた文字が見えにくいという結果が得られた。
【００２５】
図２及び図３に示した付箋Ｂ，Ｃにも本考案に係る用紙１０が用いられている。なお、図２の付箋Ｂは、多数枚の用紙１０…を綴じリング３０によって綴じ合わせてなる。図３の付箋Ｃは、多数枚の用紙１０…の端部１２同士を貼り合わせてなり、用紙１０を１枚ずつ剥がした後、他の場所に貼り付けたりして使用される。
本考案に係る用紙（筆記用紙）には、上掲のノート、付箋、メモ帳、便せん、ルーズリーフのほか、コピー用紙やその他の様々な用途に用いられている用紙が含まれることは勿論である。
【符号の説明】
【００２６】
Ａ  ノート
Ｂ，Ｃ  付箋
１０  筆記用紙（用紙）
１１  罫線
【図１】
0003224792.tif 000003
【図２】
0003224792.tif 000004
【図３】
0003224792.tif 000005
【図４】
0003224792.tif 000006
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
ノート、付箋、メモ帳、便せん、ルーズリーフなどに用いられ、筆記具を用いて書き込みが可能な筆記用紙であって、
７５度鏡面光沢度試験による鏡面光沢度が、同試験による鏡面光沢度４．８％の白色紙よりも低い用紙を用いることにより眩しさを低減した筆記用紙であり、
染料を使用して用紙を着色することにより前記鏡面光沢度を調整したことを特徴とする筆記用紙。
【請求項２】
緑色の上記染料を使用して用紙を淡緑色に着色してなる請求項１に記載した筆記用紙。
【請求項３】
上記鏡面光沢度が３．８〜４．３％である請求項１または請求項２に記載した筆記用紙。
【請求項４】
上記用紙にグレー色の罫線が施されている請求項１ないし請求項３のいずれか１項に記載した筆記用紙。
【請求項５】
多数枚の上記用紙が綴じ合わされてなる請求項１ないし請求項４のいずれか１項に記載した筆記用紙。
【手続補正２】
【補正対象書類名】明細書
【補正対象項目名】０００７
【補正方法】変更
【補正の内容】
【０００７】
本考案に係る筆記用紙は、ノート、付箋、メモ帳、便せん、ルーズリーフなどに用いられ、筆記具を用いて書き込みが可能な筆記用紙であって、７５度鏡面光沢度試験による鏡面光沢度が、同試験による鏡面光沢度４．８％の白色紙よりも低い用紙を用いることにより眩しさを低減した筆記用紙であり、染料を使用して用紙を着色することにより前記鏡面光沢度を調整した、というものである。ここで、筆記用紙には、上掲のノート、付箋、メモ帳、便せん、ルーズリーフのほか、コピー用紙やその他の様々な用途に用いられている用紙が含まれる。また、７５度鏡面光沢度試験は、ＪＩＳ８１４２「紙及び板紙−７５度鏡面光沢度の測定方法」で規定されていて、この規格によると、「光沢」は「表面の選択的な方向特性によって、物体の明るい反射がその表面に写り込んでいるように見える見え方」と定義され、「鏡面光沢度」は「鏡面反射方向の規定の開き角度内に試験片表面から反射される光束と、同じ条件での鏡面反射標準面からの反射光束の比をパーセントで表したもの」と定義されている。
【手続補正３】
【補正対象書類名】明細書
【補正対象項目名】０００９
【補正方法】変更
【補正の内容】
【０００９】
この考案においては、染料を使用して用紙を着色することにより上記鏡面光沢度を調整している。これによると、鏡面光沢度を調整することに使用した染料が用紙を着色することにも役立つので、使用者にとっては、鏡面光沢度の低下に伴うストレスや目の疲れなどの軽減効果が得られるだけでなく、用紙の色による気持ちの休まりやリラックス感を得られる効果が得られる。